(57)【要約】      （修正有）【課題】より容易に点火操作を行うことができるライターの点火機構を提供する。【解決手段】枠体部内に配設された点火操作部材１２を有し、使用者が上記点火操作部材を指で押して移動させることにより点火操作を行うライター１０の点火機構３０であって、上記枠体部に設けられ、上記枠体部内における上記点火操作部材の点火装置の移動を解除可能に阻止しうる安全装置１６を有し、上記安全機構部は、上記点火操作部材に係合して操作部材の移動を阻止しうる係合部１７と、操作者が上記点火操作部材の移動操作を行うために指により操作する際に操作して上記係合部の点火操作部材との係合を解除しうる操作部１８とを有する。【選択図】図１
0003163603.tif 000002
【実用新案登録請求の範囲】
【請求項１】
枠体部内に配設された点火操作部材を有し、使用者が上記点火操作部材を指で押して移動させることにより点火操作を行うライターの点火機構であって、
上記枠体部に設けられ、上記枠体部内における上記点火操作部材の移動を解除可能に阻止しうる安全装置を有し、
上記安全装置は、上記点火操作部材に係合して点火操作部材の移動を阻止しうる係合部と、操作者が上記点火操作部材の移動操作を行うために指により操作する際に操作して上記係合部の点火操作部材との係合を解除しうる操作部とを有することを特徴とするライターの点火機構。
【請求項２】
上記点火操作部材は、後方へ移動して点火操作するように構成されると共に上記操作部は上記枠体部に回動可能に軸着され、指により後方へ回動操作されうる突出部を有し、上記突出部の非操作時には上記係合部が上記点火操作部材に係合すると共に上記突出部の操作時には上記係合部の上記点火操作部材との係合が解除されることを特徴とする請求項１記載のライターの点火機構。
【請求項３】
上記安全装置は上記点火操作部材の下方において、上記枠体部に配設されると共に、上記突出部は枠体部の下方へ突出する下方突出部として形成され、上記点火操作部材を操作する指以外の指により上記操作部を操作しうるように構成されていることを特徴とする請求項１記載のライターの点火機構。
【請求項４】
上記下方突出部は円弧状輪郭を有し、上記円弧状輪郭部の表面には複数の突部が形成され、上記円弧状輪郭部を指により後方へ回動させた場合には、上記係合部が上記点火操作部材との係合を解除させることを特徴とする請求項３記載のライターの点火機構。
【請求項５】
上記安全装置は、上記係合部を常時、点火操作部材に係合するように付勢する付勢部材を備えていることを特徴とする請求項３記載のライターの点火機構。
【考案の詳細な説明】
【技術分野】
【０００１】
本考案は、ライターの点火機構の改良に関する。
【背景技術】
【０００２】
一般に、ガス調理器具等に点火する場合等において、ライターが広く使用されており、容易に先端部より発火させることができることから、子供が誤って発火操作することのないように、安全装置が設けられたライターがある。
【０００３】
このような従来の安全装置は、例えば、図１０及び図１１に示すように、ライター５０の点火操作部材５１の後部上部に設けられた凹部５２に常時係合する係止部５３を有する細長板状の係止部材５４を設けて安全装置５５を構成しているものもある。
【０００４】
上記安全装置５５において、上記係止部材５４は、軸部５６を介してライター本体５７に設けられており、上記係止部材５４の中間部に設けられたレバー部５８を押すことにより、てこの原理で上記係止部５３を凹部５２から解除し、点火操作部材５１を指で操作可能な状態にして、点火操作部材５１を指で後方に引くことにより点火操作を行い、ノズル５９から発火させるように構成されている。
【０００５】
しかしながら、このように構成された従来のライターの安全装置５５にあっては、上記安全装置５５を構成するレバー部５８はノズル５９の直交方向に押し下げると共に上記点火操作部材５１は後方に引くことにより点火操作を行う必要があり、使用者は、夫々、別個の操作を別々に行うか、又は別個の手により夫々の操作を行う必要があることから、点火操作を行いにくい、という不具合があった。
【考案の開示】
【考案が解決しようとする課題】
【０００６】
本考案はこのような従来からの要請に応えるものであって、その課題は、より容易に点火操作を行うことができるライターの点火機構を提供することにある。
【課題を解決するための手段】
【０００７】
上記課題を解決するため、請求項１記載の考案にあっては、枠体部内に配設された点火操作部材を有し、使用者が上記点火操作部材を指で押して移動させることにより点火操作を行うライターの点火機構であって、上記枠体部に設けられ、上記枠体部内における上記点火操作部材の点火装置の移動を解除可能に阻止しうる安全装置を有し、上記安全機構部は、上記点火操作部材に係合して操作部材の移動を阻止しうる係合部と、操作者が上記点火操作部材の移動操作を行うために指により操作する際に操作して上記係合部の点火操作部材との係合を解除しうる操作部とを有することを特徴とする。
【０００８】
従って、請求項１記載の考案にあっては、非使用時には上記係合部が点火操作部材に係合することから、使用者が指で点火操作部材を移動させようとしても移動しない。一方、使用時には使用者は上記操作部を操作することにより上記係合部と点火操作部材との係合を解除することにより点火操作部材の操作を行うことができる。
上記安全機構は、点火操作部材が内部に配設されている枠体部に配設されていることから、操作者が点火操作を行おうとする場合には、上記点火操作部材及び安全機構部を略同時に操作することができる。
【０００９】
請求項２記載の考案にあっては、上記点火操作部材は、後方へ移動して点火操作するように構成されると共に上記操作部は上記枠体部に回動可能に軸着され、指により後方へ回動操作されうる突出部を有し、上記突出部の非操作時には上記係合部が上記点火操作部材に係合すると共に上記突出部の操作時には上記係合部の上記点火操作部材との係合が解除されることを特徴とする。
従って、請求項２記載の考案にあっては、点下操作部材の操作方向と操作部の操作方向とは同一の方向である。
【００１０】
請求項３記載の考案にあっては、上記安全装置は上記点火操作部材の下方において、上記枠体部に配設されると共に、上記突出部は枠体部の下方へ突出する下方突出部として形成され、上記点火操作部材を操作する指以外の指により上記操作部を操作しうるように構成されていることを特徴とする。
【００１１】
従って、請求項３記載の考案にあっては、安全装置は上記点火操作部材の下方において、上記枠体部に配設されると共に、上記突出部は枠体部の下方へ突出する下方突出部として形成されていることから、上記点火操作部材を操作する指以外の指により上記操作部を同時に操作することができる。
【００１２】
請求項４記載の考案にあっては、上記下方突出部は円弧状輪郭を有し、上記円弧状輪郭部の表面には複数の突部が形成され、上記円弧状輪郭部を指により後方へ回動させた場合には、上記係合部が上記点火操作部材との係合を解除することを特徴とする。
従って、請求項４記載の考案にあっては、使用者は、ある指で点火操作部材を操作すると共に、他の指で同時に下方突出部を操作することができる。
【００１３】
請求項５記載の考案にあっては、上記安全装置は、上記係合部を常時、点火操作部材に係合するように付勢する付勢部材を備えていることを特徴とする。
従って、請求項５記載の考案にあっては、使用者が点火装置を使用するために、操作部を操作して係合部の点火操作部材との係合を解除した場合であっても、安全装置は、上記係合部を常時点火操作部材に係合するように付勢する付勢部材を備えていることから、使用後に使用者が点火操作部材の位置を非使用時の状態位置に戻した場合には、同時に、安全装置も係合部が点火操作部材に係合する状態に自動的に復帰する。
【考案の効果】
【００１４】
上記課題を解決するため、請求項１及び２記載の考案にあっては、上記安全装置は、点火操作部材が内部に配設されている枠体部に配設されていることから、操作者が点火操作を行おうとする場合には、上記点火操作部材及び安全装置を略同時に操作することができることから、従来のように、使用者は、夫々、別個の操作を別々に行うか、又は別個の手により夫々の操作を行う必要はないことから、より容易に点火操作を行うことができるライターの点火機構を提供することができる。
【００１５】
請求項２記載の考案にあっては、上記点火操作部材は、後方へ移動して点火操作するように構成されると共に、上記操作部は上記枠体部に回動可能に軸着され、指により後方へ回動操作されうる突出部を有していることから、点下操作部材の操作方向と操作部の操作方向とは同一の方向であり、使用者は同じ手の異なる指を使用して点火操作部材及び操作部を同時に操作することができる。
従って、請求項１記載の効果に加えて、さらに操作性に優れた、使いやすい安全装置を備えたライターを提供することができる。
【００１６】
請求項３記載の考案にあっては、安全装置は上記点火操作部材の下方において、上記枠体部に配設されると共に、上記突出部は枠体部の下方へ突出する下方突出部として形成され、上記点火操作部材を操作する指以外の指により上記操作部を同時に操作することができることから、請求項２記載の考案と同様に、操作者は点火操作部材の操作と操作部の操作を同時に行うことができ、容易に点火操作を行うことができる。
【００１７】
請求項４記載の考案にあっては、使用者は、ある指で点火操作部材を操作すると共に、他の指で同時に下方突出部を操作することができることから、操作性に優れた安全装置を備えたライターを提供することができる。
【００１８】
請求項５記載の考案にあっては、使用者が点火機構を使用するために、操作部を操作して係合部の点火操作部材との係合を解除した場合であっても、安全装置は、上記係合部を常時点火操作部材に係合するように付勢する付勢部材を備えていることから、使用後に使用者が点火操作部材の位置を非使用時の状態位置に戻した場合には、同時に、安全装置も係合部が点火操作部材に係合する状態に自動的に復帰するように構成されていることから、操作性に富んだ安全装置を備えたライターを提供することができる。
【図面の簡単な説明】
【００１９】
【図１】本考案に係るライターの安全機構の一実施の形態を示し、安全機構が作動している状態を示す一部断面図である。
【図２】本考案に係るライターの安全機構の一実施の形態を示し、安全機構を解除した状態を示す一部断面図である。
【図３】本考案に係るライターの安全機構の一実施の形態を示し、安全機構を解除し、点火操作部材を指で引き、後方へ移動させて点火した状態を示す一部断面図である。
【図４】本考案に係るライターの安全機構の他の実施の形態を示し、安全機構が作動している状態を示す一部断面図である。
【図５】本考案に係るライターの安全機構の一実施の形態を示し、安全機構を解除した状態を示す一部断面図である。
【図６】本考案に係るライターの安全機構の一実施の形態を示し、安全機構を解除し、点火操作部材を指で引き、後方へ移動させて点火した状態を示す一部断面図である。
【図７】本考案に係るライターの安全機構の他の実施の形態を示し、安全機構が作動している状態を示す一部断面図である。
【図８】本考案に係るライターの安全機構の一実施の形態を示し、安全機構を解除した状態を示す一部断面図である。
【図９】本考案に係るライターの安全機構の一実施の形態を示し、安全機構を解除し、点火操作部材を指で引き、後方へ移動させて点火した状態を示す一部断面図である。
【図１０】従来のライターの点火機構を示す側面図であって、安全機構が作動している状態を示す図である。
【図１１】従来のライターの点火機構を示す側面図であって、安全機構を解除した状態を示す図である。
【考案を実施するための最良の形態】
【００２０】
以下、添付図面に示す実施の形態に基づき、本考案を詳細に説明する。
図１〜図３に示すように、本実施の形態に係るライター１０の点火機構３０は、点火操作部材１２及び安全装置１６とを備えおり、上記点火操作部材１２は、枠体部１１内に配設されている。
【００２１】
上記枠体部１１は、点火操作部材１２の保護フレーム部としてライター本体部２５の下部に配設され、点火操作を行う場合には、使用者は上記点火操作部材１２を指１３を枠体部１１内に指２１を通し、上記点火操作部材１２をライター本体部２５後方へ押して移動させることにより点火操作を行うように構成されている。
【００２２】
本実施の形態にあっては、点火操作部材１２は、幅広のトリガー状に形成され、本体部１４及び本体部１４から下方に突出形成された突部１５を有している。そして、本実施の形態にあっては、上記枠体部１１に設けられ、上記枠体部１１内における上記点火操作部材１２の移動を解除可能に阻止しうる安全装置１６が設けられている。
【００２３】
上記安全装置１６は、上記点火操作部材１２に係合して点火操作部材１２の後方への移動を阻止しうる係合部１７と、操作者が上記点火操作部材１２の移動操作を行うために指１３により操作する際に操作して上記係合部１７の点火操作部材１２との係合を解除しうる操作部１８とを有している。
【００２４】
上記操作部１８は上記枠体部１１に対して、軸部１９により回動可能に軸着され、他の指２２により後方へ回動操作されうる突出部２０を有し、上記突出部２０の非操作時には上記係合部１７が上記点火操作部材１２に係合すると共に上記突出部２０の操作時には上記係合部１７の上記点火操作部材１２との係合が解除されるように構成されている。
【００２５】
上記安全装置１６は上記点火操作部材１２の下方において、上記枠体部１１に配設されると共に、上記突出部２０は枠体部１１の下方へ突出する下方突出部２０ａとして形成されている。従って、本実施の形態に係る安全装置１６にあっては、上記点火操作部材１２を操作する指１３以外の指２２により上記操作部１８を操作しうるように構成されている。
【００２６】
上記下方突出部２０ａは円弧状輪郭２４を有し、上記円弧状輪郭部２４の表面には複数の突部２３が形成され、上記下方突出部２０ａを指２２により後方へ回動させた場合には、上記係合部１７が軸部１９を中心として反時計方向に回動して下方へ移動し、係合部１７と上記点火操作部材１２の突部１５との係合が解除されるように構成されている。
【００２７】
上記安全装置１６は、上記係合部１７を常時、点火操作部材１２に係合するように付勢する付勢部材２１を備えており、本実施の形態にあっては、付勢部材２１はコイルスプリングにより形成されている。
【００２８】
以下、本実施の形態に係るライター１０を使用して点火する場合を説明する。
前提として、非使用時には、図１に示すように、安全装置１６の係合部１７は点火操作部材１２の突部１５に係合し、点火操作部材１２の後方への移動を阻止している。従って、  この状態では点火操作部材１２は作動せず着火はできない。
点火する場合には、図２に示すように、使用者はライター本体部２５を把持して、指１３を枠体部１１内の点火操作部材１２に掛けると共に、他の指２２を上記安全装置１６の下方突出部２０ａに置く。
【００２９】
その後、他の指２２により、付勢部材２１の付勢力に抗して下方突出部２０ａを後方へ回動させることにより係合部１７を反時計方向に回動させて、点火操作部材１２の突部１５との係合状態を解除する。
【００３０】
これにより点火操作部材１２を後方へ移動させることが可能となり、指１３により点火操作部材１２を後方へ移動させて点火する。
従って、本実施の形態にあっては、安全装置１６は点火操作部材１２の下方に設けられていると共に、点下操作部材１２の操作方向と安全装置１６の操作部１８の操作方向とは同一の方向であり、使用者は同じ手の異なる指を使用して点火操作部材１２及び安全装置１６の操作部１８を同時に操作することができる。従って、操作性に優れた、使いやすい安全装置を備えたライターを提供することができる。
【００３１】
また、着火作業が終了し点火操作部材１２を戻した場合には、上記付勢部材２１の付勢力により安全装置１６は時計方向に回動し、係合部１７は点火操作部材１２の突部１５に自動的に係合して、点火操作部材１２の後方への移動を阻止することから、子供によるイタズラの操作や、不用意な操作による点火の事態を有効に防止することができる。
【００３２】
図４〜図６は、本考案に係る安全装置の他の実施の形態を示す。
前記第一の実施の形態との相違点は、点火操作部材２６の形状が異なる点と、安全装置２７の配置状態のみである。従って、同一部材には同一符号を付して説明を省略する。
【００３３】
即ち、本実施の形態にあっては、安全装置２７は点火操作部材２６の後方に配設されており、係合部２８は、係合時には、やや上方へ傾斜した状態で点火操作部材２６の後端部に係合して点火操作部材２６の後方への移動を阻止すると共に、安全装置の解除時には、係合部２８は略水平状態となり、点火操作部材２６の後方への移動を許容するように構成されている。他の構成に関しては、前記第一の実施の形態と同一である。
【００３４】
図７〜図９は、本考案に係る安全装置のさらに他の実施の形態を示す。
本実施の形態の前記実施の形態との相違点は、点火操作部材２９の形状がレバー型になっている点みであり、安全装置３１の形状、構成は前記実施の形態と同一である。
【符号の説明】
【００３５】
１０  ライター
１１  枠体部
１２  点火操作部材
１３  指
１４  本体部
１５  突部
１６  安全装置
１７  係合部
１８  操作部
１９  軸部
２０  突出部
２０ａ  下方突出部
２１  付勢部材（コイルスプリング）
２２  他の指
２３  突部
２４  円弧状輪郭部
２５  ライター本体部
２６  点火操作部材
２７  安全装置
２８  係合部
２９  点火操作部材
３０  点火機構
３１  安全装置
５０  ライター
５１  点火操作部材
５２  凹部
５３  係止部
５４  係止部材
５５  安全装置
５６  軸部
５７  ライター本体部
５８  レバー部
５９  ノズル
【図１】
0003163603.tif 000003
【図２】
0003163603.tif 000004
【図３】
0003163603.tif 000005
【図４】
0003163603.tif 000006
【図５】
0003163603.tif 000007
【図６】
0003163603.tif 000008
【図７】
0003163603.tif 000009
【図８】
0003163603.tif 000010
【図９】
0003163603.tif 000011
【図１０】
0003163603.tif 000012
【図１１】
0003163603.tif 000013